(57)【要約】      （修正有）【課題】既存の単体指輪に対する汎用性を備え、これと組合わせて使用し、宝玉を備えた単体指輪が位置ずれしてしまうのを阻止し、一対の指輪状環状体の連結された状態を維持しつつ、単体指輪の台座部を保持する連結部材が適切な幅を有することができ、人間の視覚に美観を与える指輪を提供すること。【解決手段】連結部材を架設して一対の指輪状環状体１，１を連結し、指輪状環状体１，１の間に挿入された単体指輪の宝玉類の台座部を連結部材が保持して単体指輪が回転しないようにし、指輪状環状体１は所定の反りを有し、一対の指輪状環状体間１，１の幅は、連結部材配置部分で最大幅ｗ３、連結部材配置部分と対向する部分で最小幅ｗ１を有し、最大幅ｗ３を有する部分と最小幅ｗ１を有する部分の略中間部分で幅ｗ２を有し、幅ｗ２の幅ｗ１の比率α１（ｗ２／ｗ１）は１．２以上１．３以下、幅ｗ３の幅ｗ１の比率α２（ｗ３／ｗ１）は２．５以上３．０以下である。【選択図】図５
2017217327.tif 000002
【特許請求の範囲】
【請求項１】
一対の指輪状環状体に連結部材を架設して前記指輪状環状体を連結し、前記指輪状環状体の間に挿脱自在に挿入された単体指輪が備える宝玉類の台座部を前記連結部材が保持して前記単体指輪が回転しないようにしたことを特徴とする指輪であって、
前記指輪状環状体は所定の反りを有し、
前記一対の前記指輪状環状体間の幅は、前記連結部材が配置される部分において、最大幅ｗ３を有し、前記連結部材が配置される部分と対向する部分において、最小幅ｗ１を有し、前記最大幅ｗ３を有する部分と前記最小幅ｗ１を有する部分の略中間部分において幅ｗ２を有し、
幅ｗ２の幅ｗ１に対する比率α１（Ｗ２／ｗ１）は１．２以上１．３以下であり、
幅ｗ３の幅ｗ１に対する比率α２（ｗ３／ｗ１）は２．５以上３．０以下である、
指輪。
【請求項２】
前記連結部材は、略アーチ型に形成され、前記台座部の外周部に接するように構成されており、
前記略アーチ型の形状は略楕円形状の一部であり、
前記略楕円形状の短軸の長さＬ２の長軸の長さＬ１に対する比率β１（Ｌ２／Ｌ１）は、０．３以上０．６以下である、
請求項１に記載の指輪。
【請求項３】
前記連結部材の天井部下面と、前記天井部下面と対向する前記一対の指輪状環状体の面との隔離距離は、１ｍｍ（ミリメートル）以上３ｍｍ以下であり、前記台座部の爪部が入り込むことができるように構成されている請求項１又は２のいずれかに記載の指輪。
【発明の詳細な説明】
【技術分野】
【０００１】
本発明は、単体指輪と組合せて使用する指輪に関するものであり、特に、宝玉類を備えた単体指輪が回転して位置ずれを起こしてしまうのを防止すると共に、全体としても新たな美観を生ずる指輪に関するものである。
【背景技術】
【０００２】
複数の指輪を組合わせてなるこの種の技術としては、以下に列挙するような従来技術が既に存在している。
【特許文献１】特開２００５−２５３６６６号公報
【特許文献２】特開平７−１３６００９号公報
【特許文献３】登録実用新案第３０１２５４４号公報
【０００３】
然しながら、上記特許文献１又は特許文献２に記載された技術は、組合わせる複数の指輪の形態がピッタリと一致して対応する関係にあることを要求しているため、既存の単体指輪に対する汎用性はまったくないといえる。
【０００４】
また、指輪のサイズは主にユーザの指の関節の大きさによって決められるものであるところ、加齢や体調に応じて指の根元が細くなると、該指に対して緩くなってしまった昔の指輪がこれに備えられた宝玉の重さによって手の小指側、或いは、親指側に回転し位置ずれを起こして、美観を大きく損ねることがある。この点については、特許文献１乃至特許文献３のいずれの技術も解決する術を備えておらず、未だ問題を残している。
【発明の開示】
【発明が解決しようとする課題】
【０００５】
本発明は上記のような事情に鑑み、既存の単体指輪に対する汎用性を備えつつこれと組合わせて使用し、かつ、宝玉を備えた単体指輪が指に対して回転し位置ずれしてしまうのを阻止し、かつ、一対の指輪状環状体の連結された状態を強固に維持しつつ、しかも、単体指輪の台座部を保持する連結部材が適切な幅を有することができ、さらに、人間の視覚に美観を与える指輪を提供することを課題とする。
【課題を解決するための手段】
【０００６】
第一の発明は、一対の指輪状環状体に連結部材を架設して前記指輪状環状体を連結し、前記指輪状環状体の間に挿脱自在に挿入された単体指輪が備える宝玉類の台座部を前記連結部材が保持して前記単体指輪が回転しないようにしたことを特徴とする指輪であって、前記指輪状環状体は所定の反りを有し、前記一対の前記指輪状環状体間の幅は、前記連結部材が配置される部分において、最大幅ｗ３を有し、前記連結部材が配置される部分と対向する部分において、最小幅ｗ１を有し、前記最大幅ｗ３を有する部分と前記最小幅ｗ１を有する部分の略中間部分において幅ｗ２を有し、幅ｗ２の幅ｗ１に対する比率α１（Ｗ２／ｗ１）は１．２以上１．３以下であり、幅ｗ３の幅ｗ１に対する比率α２（ｗ３／ｗ１）は２．５以上３．０以下である、指輪である。
【０００７】
一対の指輪状環状体の間には、単体指輪が配置されるから、所定の距離が必要である。さらに、一対の指輪状環状体の連結された状態を強固に維持しつつ、しかも、連結部材が台座部を保持するために適切な幅を有することができ、さらに、指輪状環状体が、使用者の指に嵌められた時に、回転しにくい必要がある。本発明の発明者は、これらの技術的課題と指輪の構造の関係を研究し、指輪状環状体間が上述の反りを有するときに、これらの技術的課題を解決できることを見出した。
【０００８】
第二の発明は、第一の発明の構成において、前記連結部材は、略アーチ型に形成され、前記台座部の外周部に接するように構成されており、前記略アーチ型の形状は略楕円形状の一部であり、前記略楕円形状の短軸の長さＬ２の長軸の長さＬ１に対する比率β１（Ｌ２／Ｌ１）は、０．３以上０．６以下である、指輪である。
【０００９】
アーチ型の構造で台座部を保持するのであるが、アーチ型の構造を構成する２つの軸の角度が過度に鋭角であったり、過度に鈍角であったりすると、連結部材と台座部が点接触となり、台座部をしっかりと固定することができない。本発明の発明者は、施行錯誤の結果、上記の略楕円形状の一部であれば、台座部を最も安定して固定できることを見出した。
【００１０】
第三の発明は、第一の発明又は第二の発明のいずれかの構成において、前記連結部材の天井部下面と、前記天井部下面と対向する前記一対の指輪状環状体の面との隔離距離は、１ｍｍ（ミリメートル）以上３ｍｍ以下であり、前記台座部の爪部が入り込むことができるように構成されている指輪である。 
【００１１】
単体指輪の宝玉が、例えば、ダイヤモンドの場合、台座部にダイヤモンドを支える爪がついている場合がある。この点、上記の隔離距離によって、爪部が連結部材と指輪状環状体の間に入り込むことができるから、連結部材のアーチ部が台座部本体をしっかりと固定することができる。
【発明の効果】
【００１２】
本発明の構成によれば、一対の指輪状環状体に架設された連結部材が、宝玉類の重さによって回転しようとする単体指輪の宝玉台座部と干渉してその回転を阻止する。また、この連結部材に宝玉類を付することによって、単体指輪と組合せて使用したとき新たな美観を生ずる。この結果、宝玉類を備えた単体指輪が回転して位置ずれを起こし大きく美観を損ねてしまうといった事態を完全に回避できる。また、一対の指輪状環状体の連結された状態を強固に維持しつつ、しかも、単体指輪の台座部を保持する連結部材が適切な幅を有することができ、さらに、人間の視覚に美観を与えることができる。
【図面の簡単な説明】
【００１３】
【図１】本発明の一実施形態に係る指輪の一例の正面図である。
【図２】指輪の一例の右側面図である。
【図３】指輪の一例の背面図である。
【図４】指輪に単体指輪を挿入した状態の斜視図である、
【図５】一対の指輪状環状体を示す概略図である。
【図６】連結部材を示す概略図である。
【図７】一対の指輪状環状体と連結部材を示す概略図である。
【図８】指輪と単体指輪とを組合せた使用態様の一例を示した斜視図である。
【発明を実施するための形態】
【００１４】
次に、本発明の実施の形態例について、図に拠り説明する。図１は本発明の一実施形態の正面図、図２は右側面図、図３は背面図、図４は指輪に単体指輪を挿入した状態の斜視図、図５は一対の指輪状環状体を図２と同じ方向から見た図、図６は連結部材を図１と同じ方向から見た図、図７は一対の指輪状環状体と連結部材を図１の矢印Ｘ１方向から見た図、図８は指輪と単体指輪とを組合せた使用態様の一例を示した斜視図である。
【００１５】
通常、比較的重量を有する大きな宝玉４を備えた単体指輪３を嵌めると、該宝玉４の重さで単体指輪３が位置ずれを起こしてしまう。これによって不具合を有していたことは既に述べた通りである。そこで、本発明の指輪は上記連結部材２を備えることによってかかる不具合を解消したので、この点について以下に説明する。
【００１６】
図１において、１は金属等による通常の指輪材からなる一対の指輪状環状体（以下、「環状体１」と呼ぶ。）である。環状体１は、所定の反りを有する。
２はこの環状体１の正面部に架設された連結部材であって環状体１と同様の材質からなり、溶接、鑞付、接着、係合、或いは、嵌合等の手段によって、一対の環状体１を適宜間隔に保ちつつ略平行な状態に連結固定している。連結部材２は複数架設してもよい。一対の環状体１の背面部側には、２本の補助連結部材２２が架設されている。連結部材２は単体指輪３の宝玉台座部５を安定的に保持して、該単体指輪３が親指ｔ側から小指ｌ側へ回転してしまうのを阻止できるように、この台座部５に沿うよう正面視略横向きＶ字状、円状（楕円を含む）状に形成している（図１等参照）。また、連結部材２は台座部５の右側に位置させれば、小指ｌ側から親指ｔ側への単体指輪３の回転を阻止できる。なお、図１では紙面に対し垂直上方を正面、垂直下方を背面として記述している。
【００１７】
図５に示すように、環状体１，１の間の幅は、連結部材２が配置される部分において、最大幅ｗ３を有し、連結部材２が配置される部分と対向する部分において、最小幅ｗ１を有し、最大幅ｗ３を有する部分と最小幅ｗ１を有する部分の略中間部分において幅ｗ２を有する。そして、幅ｗ２の幅ｗ１に対する比率α１（ｗ２／ｗ１）は１．２以上１．３以下であり、望ましくは、１．２３以上１．２７以下である。幅ｗ３の幅ｗ１に対する比率α２（ｗ３／ｗ１）は２．５以上３．０以下であり、望ましくは、２．３以上２．７以下である。環状体１，１の間の上記の幅は、各環状体１が、そのような幅を有するように反っていることで達成される。上述の幅を有するように、環状体１，１が所定の反りを有することによって、一対の環状体１，１が指に嵌められたときに、回転しにくい。本発明の発明者は、この構成に想到するにあたり、指輪が指に嵌められるときの状況を詳細に観察した。指輪が指に嵌められるときには、緩めの指輪の場合であっても、指輪がわずかに指の皮膚を押圧している。すなわち、一対の環状体１，１が指に嵌められたとき、環状体１，１は、指の皮膚をわずかに押圧し、その結果、指の皮膚は、環状体１，１と接する部分において、わずかに凹状になる。すなわち、凹状の溝に環状体１，１が位置することになる。この状態で、環状体１，１に回転方向の力が加えられると、環状体１，１が上述のように反っていることから、指の皮膚のわずかに凹状の溝の壁の部分が回転を阻害する。すなわち、環状体１，１の上述の反りによって、環状体１，１の回転方向に加えられた作用力は回転方向の成分と回転方向に直交する方向の成分を有し、指からは反対方向の反作用力を受ける。これにより、環状体１，１の回転は阻害される。本発明の発明者は、施行錯誤の結果、このような作用を有する好適な環状体１，１の反り量として、上述の関係を有する幅ｗ１、ｗ２及びｗ３に到達した。
【００１８】
連続部材２のアーチ型は、Ｖ字状あるいは、円状（正確には円の一部）が望ましいが、楕円の一部であることが一層望ましい。図６に示すように、本実施形態において、連結部材２のアーチ型は、楕円５０の一部である。詳細には、楕円５０の円周において、長軸と円周の接点近傍を含む領域の形状である。楕円５０の短軸の長さＬ２の長軸の長さＬ１に対する比率β１（Ｌ２／Ｌ１）は、０．３以上０．６以下であり、望ましくは、０．４以上０．５以下である。
【００１９】
一対の環状体１と連結部材２により確保される間隔には、既存の単体指輪３を挿脱自在に挿入できるよう適度な余裕を持たせて設計される（図４を参照）。これにより、本発明指輪から単体指輪３を抜き取り他の単体指輪３を挿入することで、簡便に全体の雰囲気を変え複数バリエーションの装飾を楽しむことができる。
【００２０】
図７に示すように、連結部材２の天井部下面２ａと、天井部下面２ａと対向する一対の指輪状環状体１，１の面１ａとの隔離距離は、１ｍｍ（ミリメートル）以上３ｍｍ以下であり、望ましくは、１．２５ｍｍ以上２ｍｍ以下である。これにより、単体指輪３の台座部に爪部が形成されている場合に、爪部が入り込むことができるように構成されている。
【００２１】
また、連結部材２に図示しない宝玉等を配して装飾を施せば、単体指輪３と併せて新たな美観を生ずることができる。これによって、エメラルドやオパールなど比較的耐熱性に乏しい宝玉類を備えたリフォームの困難な指輪や、お形見のリングのように形状を保持しておきたい指輪に対しても、新規に指輪を購入することなく既に所有している指輪に後付けすることで、加工修正をせずにその雰囲気を一変させることが可能となる。
【産業上の利用可能性】
【００２２】
本発明は以上の通りであって、一対の指輪状環状体に架設された連結部材が、宝玉類の重さによって回転しようとする単体指輪の宝玉台座部と干渉してその回転を阻止し、また、この連結部材に宝玉類を付することによって、単体指輪と組合せて使用したとき新たな美観を生ずるため、この結果として、宝玉類を備えた単体指輪が手の小指側乃至は親指側へ指の中心から位置ずれして大きく美観を損ねてしまうといった事態を完全に回避できるという効果を有するから、指輪に適用してきわめて好適である。
【符号の説明】
【００２３】
１      指輪状環状体
２      連結部材
２２    補助連結部材
３      単体指輪
４      宝玉類
５      台座部
ｔ      親指
ｌ      小指
【図１】
2017217327.tif 000003
【図２】
2017217327.tif 000004
【図３】
2017217327.tif 000005
【図４】
2017217327.tif 000006
【図５】
2017217327.tif 000007
【図６】
2017217327.tif 000008
【図７】
2017217327.tif 000009
【図８】
2017217327.tif 000010